(57)【要約】【課題】特に多色式のプリンタを用いることなく、複数の色のいずれかにて着色された複数の色セルの配列によって表される情報を記録することのできる情報記録媒体を提供することである。【解決手段】基材シート２と、基材シート２の表面に形成され、予め定めた複数の色のいずれかに着色された複数の色領域（ＥＧ、ＥＢ、ＥＲ）が、所定の規則に従って配列された色領域層３とを有し、前記複数の色領域（ＥＧ、ＥＢ、ＥＲ）から一連の複数の色セルＣを形成して、該一連の複数の色セルＣの配列パターンまたは色彩の遷移により表される情報を記録する構成となる。【選択図】  図２
2014048793.tif 000002
【特許請求の範囲】
【請求項１】
基材シートと、
該基材シートの表面に形成され、予め定めた複数の色のいずれかに着色された複数の色領域が、所定の規則に従って配列された色領域層とを有し、
前記複数の色領域から一連の複数の色セルを形成して、該一連の複数の色セルの配列パターンまたは色彩の遷移により表される情報を記録する情報記録媒体。
【請求項２】
前記基材シートに前記複数の色領域を覆うように形成され、熱の印加されていない通常時に透明状態であって、熱の印加によって非透明状態になる透明感熱フィルム層を有する請求項１記載の情報記録媒体。
【請求項３】
前記基材シートに前記複数の色領域を覆うように形成され、熱の印加されていない通常時に非透明状態であって、熱の印加によって透明状態になる非透明感熱フィルム層を有する請求項１記載の情報記録媒体。
【請求項４】
前記複数の色領域のそれぞれは、所定の規則にて配列された所定形状の色セルにて形成された請求項１乃至３のいずれかに記載の情報記録媒体。
【請求項５】
前記複数の色領域は、各色セルが前記複数の色のいずれの色の色セルとも接するように、形成された請求項４記載の情報記録媒体。
【請求項６】
前記各色セルは、六角形状である請求項５記載の情報記録媒体。
【請求項７】
前記複数の色領域は、所定の順番で並ぶ所定の色の組が繰り返されるように所定方向に配列された請求項１乃至６のいずれかに記載された情報記録媒体。
【請求項８】
請求項１乃至７のいずれかに記載の情報記録媒体を用いた情報記録方法であって、
記録すべき情報に基づいて、当該情報が表す配列パターンの複数の色セルが表れるように、前記色領域層における各色領域に対して、前記複数の色領域の色として予め定められた色以外の色を付すステップを有する情報記録方法。
【請求項９】
前記ステップは、プリンタにてなされる請求項８記載の情報記録方法。
【請求項１０】
請求項２記載の情報記録媒体を用いた情報記録方法であって、
記録すべき情報に基づいて、当該情報が表す配列パターンの複数の色セルが残り、他の部分が非透明状態の前記透明感熱フィルム層によって隠れるように、前記透明感熱フィルム層をサーマルプリンタにより加熱するステップを有する情報記録方法。
【請求項１１】
請求項３記載の情報記録媒体を用いた情報記録方法であって、
記録すべき情報に基づいて、前記情報が表す配列パターンの複数の色セルが透明状態になった前記非透明感熱フィルム層の部分から現れるように、前記非透明感熱フィルム層をサーマルプリンタにより加熱して透明状態にするステップを有する情報記録方法。
【発明の詳細な説明】
【技術分野】
【０００１】
本発明は、複数の色のいずれかにて着色された複数の色セルの配列または色彩の遷移によって表される情報を記録するための情報記録媒体及びその情報記録媒体を用いた情報記録方法に関する。
【背景技術】
【０００２】
従来、複数の色のいずれかにて着色された色セルの配列または色彩を順番に遷移させることにより表される情報を記録す情報記録方法が知られている（特許文献１参照）。この従来の情報記録方法では、例えば、Ｙ（イエロー）、Ｍ（マゼンタ）、Ｃ（シアン）の３つの色によって着色された色セルを複数個線状に配列し、その色セルの配列パターンまたは色彩を順番に遷移させることにより情報（データ）が表される。この配列パターンまたは色彩の遷移により情報を表す線状に配列される複数の色セルは、カラーインクジェット式やカラーレーザー式等の多色プリンタによって印刷することにより、例えば、用紙やラベル等に形成され、その結果として、その用紙やラベル等に情報の記録がなされる。
【先行技術文献】
【特許文献】
【０００３】
【特許文献１】特開２００８−２７０２９号公報
【発明の開示】
【発明が解決しようとする課題】
【０００４】
ところで、前述した従来の情報記録方法では、カラーインクジェット式やカラーレーザー式の多色プリンタを用いなければならず、多色プリントに対応していないプリンタでは、対応できない。
本発明は、このような事情に鑑みてなされたもので、特に多色式のプリンタを用いることなく、複数の色のいずれかにて着色された複数の色セルまたは色彩の遷移によって表される情報を記録することのできる情報記録媒体及びその情報記録媒体を用いた情報記録方法を提供するものである。
【課題を解決するための手段】
【０００５】
本発明に係る情報記録媒体は、基材シートと、該基材シートの表面に形成され、予め定めた複数の色のいずれかに着色された複数の色領域が、所定の規則に従って配列された色領域層とを有し、前記複数の色領域から一連の複数の色セルを形成して、該一連の複数の色セルの配列パターンまたは色彩の遷移により表される情報を記録する構成となる。
【０００６】
このような構成によれば、基材シートの表面に形成された色領域層に予め定めた複数の色のいずれかに着色された複数の色領域が所定の規則に従って配列されているので、それら複数の色領域に対して、前記複数の色領域の色として予め定められた色以外の色を付すことにより、一連の複数の色セルを形成して、該一連の複数の色セルの配列パターンまたは色彩の遷移により表される情報を記録することができる。
【０００７】
本発明に係る情報記録媒体において、前記基材シートに前記複数の色領域を覆うように形成され、熱の印加されていない通常時に透明状態であって、熱の印加によって非透明状態になる透明感熱フィルム層を有する構成とすることができる。
【０００８】
このような構成によれば、ある配列パターンの複数の色セルが残り、他の部分が非透明状態になった透明感熱フィルム層によって隠れるように、透明感熱フィルム層をサーマルプリンタ等により加熱することにより、前記複数の色セルの配列パターンにて表される情報を記録することができる。
【０００９】
また、本発明に係る情報記録媒体において、前記基材シートに前記複数の色領域を覆うように形成され、熱の印加されていない通常時に非透明状態であって、熱の印加によって透明状態になる非透明感熱フィルム層を有する構成とすることができる。
【００１０】
このような構成によれば、ある配列パターンの複数の色セルが透明状態になった非透明感熱フィルム層の部分から現れるように、前記非透明感熱フィルム層をサーマルプリンタ等により加熱して透明状態にすることにより、前記複数の色セルの配列パターンにて表される情報を記録することができる。
【００１１】
また、本発明に係る情報記録媒体において、前記複数の色領域のそれぞれは、所定の規則にて配列された所定形状の色セルにて形成された構成とすることができる。
【００１２】
このような構成により、複数の色領域のそれぞれに形成された各色セルに対して前記複数の色領域の色として予め定められた色以外の色を付す、または、付さないことにより、一連の複数の色セルの配列パターンにより表される情報を記録することができる。
【００１３】
更に、本発明に係る情報記録媒体において、前記複数の色領域は、各色セルが前記複数の色のいずれの色の色セルとも接するように、形成された構成することができる。
【００１４】
このような構成により、各色セルに隣接する色セルの色を複数の色領域の色として予め定められた色から制限されることなく決めることができ、一連の複数の色セルの配列パターンにより表される情報の量をより多くすることができる。
【００１５】
また、本発明に係る情報記録媒体において、前記各色セルは、六角形状である構成とすることができる。
【００１６】
このような構成により、各色セルの六辺のうちの１つの辺に他の色セルを隣接させることにより複数の色セルを一連にすることができる。
【００１７】
また、本発明に係る情報記録媒体において、前記複数の色領域は、所定の順番で並ぶ所定の色の組が繰り返されるように所定方向に配列された構成とすることができる。
【００１８】
このような構成により、所定の順番で並ぶ所定の色の組が繰り返されるように所定方向に配列された複数の色領域から一連の複数の色セルが形成され、その一連の複数の色セルの配列パターンにより表される情報を記録することができる。
【００１９】
本発明に係る情報記録方法は、前述したいずれかの情報記録媒体を用いた情報記録方法であって、記録すべき情報に基づいて、当該情報が表す配列パターンの複数の色セルが表れるように、前記色領域層における各色領域に対して、前記複数の色領域の色として予め定められた色以外の色を付すステップを有する構成となる。
【００２０】
特に、前記基材シートに前記複数の色領域を覆うように形成され、熱の印加されていない通常時に透明状態であって、熱の印加によって非透明状態になる透明感熱フィルム層を有する情報記録媒体を用いる場合、記録すべき情報に基づいて、当該情報が表す配列パターンの複数の色セルが残り、他の部分が非透明状態の前記透明感熱フィルム層によって隠れるように、前記透明感熱フィルム層をサーマルプリンタ等により加熱するステップを有する構成とすることができる。
【００２１】
また、特に、前記基材シートに前記複数の色領域を覆うように形成され、熱の印加されていない通常時に非透明状態であって、熱の印加によって透明状態になる非透明感熱フィルム層を有する情報記録媒体を用いる場合、記録すべき情報に基づいて、前記情報が表す配列パターンの複数の色セルが透明状態になった前記非透明感熱フィルム層の部分から現れるように、前記非透明感熱フィルム層をサーマルプリンタ等により加熱して透明状態にするステップを有する構成とすることができる。
【発明の効果】
【００２２】
本発明に係る情報記録媒体及び情報記録方法によれば、基材シートの表面に形成された色領域層に予め定めた複数の色のいずれかに着色された複数の色領域が所定の規則に従って配列されており、それら複数の色領域に対して、前記複数の色領域の色として予め定められた色以外の色を付すことにより、一連の複数の色セルを形成して、該一連の複数の色セルの配列パターンまたは色彩の遷移により表される情報を記録することができるので、特に多色式のプリンタを用いることなく、複数の色のいずれかにて着色された複数の色セルによって表される情報を記録することができる。
【図面の簡単な説明】
【００２３】
【図１】本発明の第１の実施の形態に係る情報記録媒体を示す断面図である。
【図２】本発明の第１の実施の形態に係る情報記録媒体に形成される複数の色領域を示す平面図である。
【図３】図１及び図２に示す情報記録媒体に記録された情報の一例を示す平面図である。
【図４】図１及び図２に示す情報記録媒体に形成される複数の色領域の変形例を示す平面図である。
【図５Ａ】本発明の第２の実施の形態に係る情報記録媒体に形成される複数の色領域を示す平面図である。
【図５Ｂ】本発明の第２の実施の形態に係る情報記録媒体を示す断面図である。
【図６Ａ】図４Ａ及び図４Ｂに示す情報記録媒体に情報記録媒体に記録された情報の一例（その１）を示す平面図である。
【図６Ｂ】図４Ａ及び図４Ｂに示す情報記録媒体に情報記録媒体に記録された情報の一例（その２）を示す平面図である。
【発明を実施するための形態】
【００２４】
以下、本発明の実施の形態ついて図面を用いて説明する。
【００２５】
本発明の第１の実施の形態に係る情報記録媒体は、図１及び図２に示すように構成される。なお、図１は、情報記録媒体の断面構造を示し、図２は情報記録媒体に形成される色領域を示す。
【００２６】
図１及び図２において、この情報記録媒体１０は、基材シート２の表面に色領域層３が形成され、更に、基材シート２に色領域層３を覆うように感熱フィルム層４が接着等よって接合された構造になっている。基材シート２は、紙等のシート材であって、例えば、台紙に仮着されたラベルとして形成することができる。色領域層３は、予め定めた３色、例えば、緑（Ｇ）、青（Ｂ）及び赤（Ｒ）のいずれかに着色される複数の色領域ＥＧ、ＥＢ、ＥＲを基材シート２の表面に印刷することにより形成される。感熱フィルム層４としては、例えば、熱の印加されていない通常時に乳白色の非透明状態であって、熱の印加によって透明状態になる所謂ロイコ式サーマルフィルム（非透明感熱フィルム層）が用いられる。
【００２７】
特に、図２を参照し、緑の色領域ＥＧ（横太実線部分参照）、青の色領域ＥＢ（縦細実線部分参照）及び赤の色領域ＥＲ（斜め破線部分参照）のそれぞれは、所定の規則に従って配列された正六角形状の色セルＣＧ（緑）、ＣＢ（青）及びＣＲ（赤）によって構成されている。具体的には、各色領域ＥＧ（ＥＢ、ＥＲ）は、縦に連結した２つの色セルＣＧ（ＣＢ、ＣＲ）が順次斜め方向（縦方向Ｙに対して概ね３０°傾いたＸ方向）に連結されて、全体として概ねＸ方向に延びている。そして、緑の色領域ＥＧ、青の色領域ＥＢ及び赤の色領域ＥＲが１つのグループ（Ｇ１〜Ｇ５等）になって、それらのグループが順次接合配列されることにより、色領域層３は、概ね斜め方向Ｘに延びる複数の色領域が、緑（Ｇ）、青（Ｂ）、赤（Ｒ）の順番で並ぶその色の組が繰り返されるように横方向に配列されたものとなっている。また、複数の色領域ＥＧ、ＥＢ、ＥＲは、各色セルＣＧ（ＣＢ、ＣＲ）が、３色のいずれの色セルとも接するように、即ち、緑の色セルＣＧ、青の色セルＣＢ及び赤の色セルＣＲのいずれも、緑、青及び赤のいずれの色セルＣＧ、ＣＢ、ＣＲとも接するように、形成されている。
【００２８】
上述したような情報記録媒体１０を用いた情報の記録は次のようにしてなされる。情報記録媒体１０が、例えば、台紙に仮着されたラベルとして形成され、該ラベルにサーマルプリンタによって情報記録を行う場合について説明する。
【００２９】
ラベルの用紙が送られ、例えば、位置センサによって、上記色領域層３（情報記録媒体１０）の形成された当該ラベルの印字エリアの縁端がサーマルヘッドによる印字位置に達したことが検出されると、サーマルヘッドの発熱素子からの熱の印加によって、当該サーマルヘッドに対して、例えば、図２の縦方向Ｙに相対移動するラベル（印字エリア）に対する情報記録が開始される。具体的には、記録すべき情報が与えられると、その情報が対応する色の配列パターンに変換される。そして、その色の配列パターンに従って並ぶ複数の色セルが、透明状態になった感熱フィルム層４の部分から現れるように、その現れるべき色セルに対応した感熱フィルム層４の部分がサーマルヘッドの発熱素子により加熱される。
【００３０】
それにより、ラベルの印字エリア（情報記録媒体１０）において、感熱フィルム層４の加熱によって透明状態となった部分を通して、例えば、図３に示すように、一連の色セルが現れる。即ち、乳白色の地の上に現れる一連の色セルの配列パターンにて表される情報の記録がなされる。なお、図３に示す例の場合、印字方向Ｙに沿って一連に並ぶ、グループＧ４の緑の色セルＣＧ（Ｇ４）、グループＧ３の赤の色セルＣＲ（Ｇ３）、グループＧ３の赤の色セルＣＲ（Ｇ３）、グループＧ３の青の色セルＣＢ（Ｇ３）、グループＧ３の緑の色セルＣＧ（Ｇ３）、グループＧ２の赤の色セルＣＲ（Ｇ２）、グループＧ３の緑の色セルＣＧ（Ｇ３）、グループＧ３の緑の色セルＣＧ（Ｇ３）、グループＧ３の青の色セルＣＢ（Ｇ３）、グループＧ３の青の色セルＣＧ（Ｇ３）、グループＧ３の赤の色セルＣＲ（Ｇ３）、グループＧ３の青の色セルＣＢ（Ｇ３）、グループＧ３の緑の色セルＣＧ（Ｇ３）、グループＧ２の赤の色セルＣＲ（Ｇ２）、グループＧ２の青の色セルＣＢ（Ｇ２）、及びグループＧ２の青の色セルＣＢ（Ｃ２）の複数の色セルの配列パターンにより表される情報が記録されたことになる。
【００３１】
上述した本発明の第１の実施の形態に係る情報記録媒体１０及びそれを用いた情報記録方法によれば、基材シート２の表面に形成された色領域層３に３色（緑、青、赤）のいずれかに着色された複数の色領域ＥＧ、ＥＢ、ＥＲが所定の規則に従って配列され、各色領域ＥＧ（ＥＢ、ＥＲ）が、正六角形状の色セルＣＧ（ＣＢ、ＣＲ）にて構成されて、更に、その色領域層３を覆うように、熱の印加されていない通常時に乳白色（非透明状態）であって、熱の印加によって透明状態になる感熱フィルム層４（非透明感熱フィルム層）が設けられているので、記録すべき情報に対応した配列パターンに従った一連の色セルが透明状態になった感熱フィルム層４の部分を通して現れるように、サーマルプリンタ（サーマルヘッド）によって加熱して透明状態にすることにより、その透明状態となった感熱フィルム層４の部分を通して現れる一連の色セルの配列パターン（色彩の遷移）にて表される情報を記録することができる。従って、特に多色式のプリンタを用いることなく、複数の色のいずれかにて着色された複数の色セルまたは色彩の遷移によって表される情報を記録することができる。
【００３２】
また、複数の色領域ＥＧ、ＥＢ、ＥＲは、正六角形状の各色セルＣＧ（ＣＢ、ＣＲ）が、３色（緑、青、赤）のいずれの色セルとも接するように形成されているので、各色セルＣＧ（ＣＢ、ＣＲ）に隣接する色セルの色を、色領域ＥＧ、ＥＢ、ＥＲの色として予め定められた３色から制限されることなく決めることができ、一連の色セルの配列パターンによってより多くの量の情報を表すことができる。
【００３３】
なお、前述した本発明の第１の実施の形態に係る情報記録媒体１０では、正六角形状の色セルＣＧ（ＣＢ、ＣＲ）によって構成される各色領域ＥＧ（ＥＢ、ＥＲ）は、縦方向Ｙに対して概ね３０°となる斜め方向Ｘに沿って延びていたが（図２参照）、各色領域ＥＧ、ＥＢ、ＥＲの延びる方向はこれに限定されない。正六角形状の色セルＣＧ（ＣＢ、ＣＲ）によって構成される各色領域ＥＧ（ＥＢ、ＥＲ）は、例えば、図４に示すように、概ね縦方向Ｙ（情報記録媒体１０（ラベル）のサーマルヘッドに対する相対的な移動方向）に沿って延びるように形成することもできる。
【００３４】
また、各色領域ＥＧ（ＥＢ、ＥＲ）を構成する各色セルＣＧ（ＣＢ、ＣＲ）の形状は、正六角形状に限定されることなく、丸形状、矩形形状、他の多角形状等、他の形状であってもよい。
【００３５】
次に、本発明の第２の実施の形態に係る情報記録媒体について説明する。
【００３６】
本発明の第２の実施の形態に係る情報記録媒体２０は、図５Ａ及び図５Ｂに示すように構成される。この情報記録媒体２０は、色領域層の構成及び感熱フィルム層が前述した本発明の第１の実施の形態に係る情報記録媒体１０（図１及び図２参照）のものと異なる。なお、図５Ａは、情報記録媒体２０に形成される色領域を示し、図５Ｂは、情報記録媒体２０の断面構造を示している。
【００３７】
図５Ａ及び図５Ｂにおいて、この情報記録媒体２０は、前述した第１の実施の形態に係る情報記録媒体１０（図１及び図２参照）と同様に、基材シート２の表面に色領域層３が形成され、更に、基材シート２に色領域層３を覆うように感熱フィルム層５が接着等によって接合された構造となっている。色領域層３は、縦方向Ｙに沿って延びる赤の色領域ＥＲ、緑の色領域ＥＧ及び青の色領域ＥＢが基材シート２の表面に印刷されることにより形成されている。各色領域ＥＲ（ＥＧ、ＥＢ）は、前述した第１の実施の形態に係る情報記録媒体１０と異なり、特に色セルにて構成されることなく、単に帯状に延びたものとなっている。そして、赤の色領域ＥＲ、緑の色領域ＥＧ及び青の色領域ＥＢが１つのグループ（Ｇ１〜Ｇ８）となって、それらのグループが順次接合配列されることにより、色領域層３は、縦方向に延びる複数の色領域が、赤（Ｒ）、緑（Ｇ）、青（Ｂ）の順番で並ぶその色の組が繰り返されるように横方向に配列されたものとなっている。感熱フィルム層５として、熱の印加されていない通常時に透明状態であって、熱の印加によって乳白色あるいは黒色の非透明状態になる透明感熱フィルムが用いられる。
【００３８】
上述したような情報記録媒体２０を用いた情報の記録は次のようにしてなされる。この場合も、情報記録媒体２０が、台紙に仮着されたラベルとして形成され、当該ラベルにサーマルプリンタによって情報記録を行う場合について説明する。
【００３９】
前述した第１の実施に形態に係る情報記録媒体１０（ラベル）に対する情報の記録の場合と同様に、サーマルヘッドに対して、例えば、図５Ａの縦方向Ｙに相対移動するラベル（印字エリア）に対してサーマルヘッドの発熱素子からの熱の印加によって情報記録がなされる。具体的には、記録されるべき情報から変換された色の配列パターンに従って並ぶ複数の色セルが残り、他の部分が黒色あるいは乳白色の非透明状態になった感熱フィルム層５によって隠れるように、感熱フィルム層５がサーマルヘッドの発熱素子により加熱される。
【００４０】
それにより、ラベルの印字エリア（情報記録媒体２０）において、感熱フィルム層５の加熱によって、例えば、図６Ａに示すように、黒色の非透明状態になった部分、あるいは、図６Ｂに示すように、乳白色の非透明になった部分によって色領域層３が隠されて、隠されずに残った部分が、一連の色セルとして現れる。即ち、黒色の地の上に現れる一連の色セルの配列パターン（図６Ａ参照）、あるいは、乳白色の地の上に現れる一連の色セルの配列パターンにて表される情報の記録がなされる。なお、図６Ａ及び図６Ｂに示す例の場合、グループＧ２の緑の色領域ＥＧの残った部分が１つの緑の色セルＣＧ（Ｇ２）として、グループ２の青の色領域ＥＢの残った部分が３つの青の色セルＣＢ（Ｇ２）として、グループＧ３の赤の色領域ＥＲの残った部分が３つの赤の色セルＣＲ（Ｇ３）として、グループＧ３の緑の色領域ＥＧの残った部分が１つの緑の色セルとして現れ、印字方向Ｙ（縦方向）に並ぶそれら一連の色セルの配列パターン（色彩の遷移）により表される情報が記録されたことになる。
【００４１】
上述した本発明の第２の実施の形態に係る情報記録媒体２０及びそれを用いた情報記録方法によれば、基材シート２の表面に形成された色領域層３に３色（緑、青、赤）のいずれかに着色された複数の色領域ＥＧ、ＥＢ、ＥＲが所定の規則に従って配列され、その色領域層３を覆うように、熱の印加されていない通常時に透明状態であって、熱の印加によって黒色あるいは乳白色の透明状態になる感熱フィルム層５（透明感熱フィルム層）が設けられているので、色領域層３において記録すべき情報に対応した配列パターンに従った一連の色セルが残り、他の部分が非透明状態（黒色、乳白色）になった感熱フィルム層５によって隠れるように、感熱フィルム層５をサーマルプリンタ（サーマルヘッド）によって加熱して非透明状態（黒色、乳白色）にすることにより、感熱フィルム層５の非透明状態（黒色、乳白色）の部分によって隠されていない前記一連の色セルの配列パターンにて表される情報を記録することができる。従って、特に多色式のプリンタを用いることなく、複数の色のいずれかにて着色された複数の色セルまたは色彩の遷移によって表される情報を記録することができる。
【００４２】
なお、上述した情報記録媒体１０、２０では、色領域層３を構成する色領域は、３色（緑、青、赤）のいずれかに着色されたものであったが、それに限らず、他の３色（例えば、イエロー、マゼンタ、シアン）、あるいは、２色以上の任意の数の色のいずれかにて着色されるものであってもよい。更に、色領域層３における複数の色領域の配列規則は、前述した情報記録媒体１０、２０のものに限らず、任意に決めることができる。
【００４３】
また、情報記録媒体１０、２０において、感熱フィルム層４、５を設けなくてもよい。この場合、インクジェットプリンタ、あるいは、熱転写プリンタや手塗等にて、記録すべき情報に対応した配列パターンに従った一連の色セルが残るように、色領域層３の各色領域に、当該色領域の色以外の色を付することにより、当該一連の色セルの配列パターンにて表される情報を記録することができる。
【産業上の利用可能性】
【００４４】
以上説明したように、本発明に係る情報記録媒体及びそれを用いた情報記録方法によれば、特に多色式のプリンタを用いることなく、複数の色のいずれかにて着色された複数の色セルによって表される情報を記録することができるという効果を有し、複数の色のいずれかにて着色された複数の色セルの配列または色彩の遷移によって表される情報を記録するための情報記録媒体及びその情報記録媒体を用いた情報記録方法として有用である。
【符号の説明】
【００４５】
１０  情報記録媒体
２  基材シート
３  色領域層
４  感熱フィルム層
５  感熱フィルム層
【図１】
2014048793.tif 000003
【図２】
2014048793.tif 000004
【図３】
2014048793.tif 000005
【図４】
2014048793.tif 000006
【図５Ａ】
2014048793.tif 000007
【図５Ｂ】
2014048793.tif 000008
【図６Ａ】
2014048793.tif 000009
【図６Ｂ】
2014048793.tif 000010